(57)【要約】      （修正有）【課題】畑のような軟弱な地面でも、一旦地中に差し込めば容易に抜け出すことがないアンカー杭を提供する。【解決手段】パイプ状に形成された軸部１１と、軸部１１の上端に形成され杭をハンマーなどで叩き込むための打設部１２と、打設部１２の左右側方に延出して形成され、紐やロープなどを結ぶための鈎部１３と、軸部１１の先端に形成され、地中への差込みが容易なように下方を尖らせたテーパ部１５と、からなる地中に差込む杭であって、軸部１１の上下方向の中間には、軸部の直径と略同じ幅寸法で、杭の長手方向と略直角で左右２方向に延出している平板状の延出部材２０が設けられており、延出部材２０は、杭の高さ方向に少なくとも２段設けられており、上段延出部材２１の延出寸法＞下段延出部材２３の延出寸法である。【選択図】図１
0003196205.tif 000002
【実用新案登録請求の範囲】
【請求項１】
パイプ状に形成された軸部１１と、
該軸部１１の上端に形成され杭をハンマーなどで叩き込むための打設１２と、
該打設部１２の左右側方に延出して形成され、紐やロープなどを結ぶための鈎部１３と、
該軸部１１の先端１４に形成され、地中への差込みが容易なように下方を尖らせたテーパ部１５と、からなる地中に差込む杭であって、
前記軸部１１の上下方向の中間には、
軸部の直径と略同じ幅寸法で、杭の長手方向と略直角で左右２方向に延出している平板状の延出部材２０が設けられており、
該延出部材２０は、
杭の高さ方向に少なくとも２段設けられており、
上段延出部材２１の延出寸法＞下段延出部材２３の延出寸法であることを特徴とするアンカー杭１０。
【請求項２】
前記延出部材２０が３段であり、
上段延出部材２１の延出寸法＞中段延出部材２２の延出寸法＞下段延出部材２３の延出寸法であることを特徴とする請求項１に記載のアンカー杭１０。
【請求項３】
前記延出部材２０の形状は、
軸部に近いほど肉厚の構造であるともに、
その下面Ｓは先端に向けて薄肉になる曲面形状であり、
上面Ｕは平面であることを特徴とする請求項１又は２に記載のアンカー杭１０。
【考案の詳細な説明】
【技術分野】
【０００１】
本考案は、アンカー杭に係わり、特に、農業用のアンカー杭に関する。
【背景技術】
【０００２】
従来、図７に示すように、温室、ビニールハウス、小屋、テント等の仮設物３０が風で飛ばないように紐やロープ３１等で地面に固定する治具として止め具３２が使用されている。このような止め具３２として、例えば、特許文献１（実開昭６３−１８７８８４０号公報）、特許文献２（実公昭６３−２９３９５号公報）がある。
特許文献１の止め具は、杭の周囲に螺旋状の突起を設けることにより、地中から抜け難くしたものであり、特許文献２の止め具は、杭の周囲を波型に形成するとももに凹部を形成し、凹部に土を侵入させることにより地中から抜けにくくしたものである。
【先行技術文献】
【特許文献】
【０００３】
【特許文献１】実開昭６３−１８７８８４０号公報
【特許文献２】実公昭６３−２９３９５号号公報
【考案の概要】
【考案が解決しようとする課題】
【０００４】
しかし、このような止め具は、地中への差込みが容易である反面、簡単に抜けやすく風によって止め具が簡単に抜けてしまうという問題がある。
また、特許文献１の止め具は、地中に差し込んでも畑地のような軟弱な地盤では螺旋状の突起の効果が少なく容易に抜けてしまうという問題がある。
また、特許文献２の止め具においては畑の土が杭の凹部に侵入しにくく、抜け止め防止効果が十分ではないという問題がある。
そこで、本考案は、畑のような軟弱な地面でも、一端地中に差し込めば容易に抜け出すことがないアンカー杭を提供することを目的とする。
【課題を解決するための手段】
【０００５】
（１）本考案のアンカー杭１０は、パイプ状に形成された軸部１１と、
該軸部１１の上端に形成され杭をハンマーなどで叩き込むための打設１２と、
該打設部１２の左右側方に延出して形成され、紐やロープなどを結ぶための鈎部１３と、
該軸部１１の先端１４に形成され、地中への差込みが容易なように下方を尖らせたテーパ部１５と、からなる地中に差込む杭であって、
前記軸部１１の上下方向の中間には、
軸部の直径と略同じ幅寸法で、杭の長手方向と略直角で左右２方向に延出している平板状の延出部材２０が設けられており、
該延出部材２０は、
杭の高さ方向に少なくとも２段設けられており、
上段延出部材２１の延出寸法＞下段延出部材２３の延出寸法であることを特徴とする。
（２）本考案のアンカー杭１０は、上記（１）において、
前記延出部材２０が３段であり、
上段延出部材２１の延出寸法＞中段延出部材２２の延出寸法＞下段延出部材２３の延出寸法であることを特徴とする。
（３）本考案のアンカー杭１０は、上記（１）又は（２）において、
前記延出部材２０の形状は、
軸部に近いほど肉厚の構造であるともに、
その下面Ｓは先端に向けて薄肉になる曲面形状であり、
上面Ｕは平面であることを特徴とする。
【考案の効果】
【０００６】
本考案に係るアンカー杭は、パイプ状に形成された軸部１１と、該軸部１１の上端に形成され杭をハンマーなどで叩き込むための打設１２と、該打設部１２の左右側方に延出して形成され、紐やロープなどを結ぶための鈎部１３と、該軸部１１の先端１４に形成され、地中への差込みが容易なように下方を尖らせたテーパ部１５と、からなり、
前記軸部１１の上下方向の中間には、軸部の直径と略同じ幅寸法で、杭の長手方向と略直角で左右２方向に延出している平板状の延出部材２０が設けられており、
延出部材２０は、杭の高さ方向に少なくとも２段設けられており、
上段延出部材２１の延出寸法＞下段延出部材２３の延出寸法であるので、
アンカー杭を地中に差し込むときは容易であるが、一旦地中に差し込んだ杭は、耕作したような軟弱な地盤でも容易に抜け出すことがないという利点を有している。
【図面の簡単な説明】
【０００７】
【図１】本考案の実施形態に係るアンカー杭の正面図である。
【図２】本考案の実施形態に係るアンカー杭の側面図である。
【図３】本考案の実施形態に係る延出部材の拡大正面図である。
【図４】本考案の実施形態に係るアンカー杭の平面図である。
【図５】本考案の実施形態に係るアンカー杭の断面図であり、（ａ）は図２のＣ−Ｃ断面であり、（ｂ）は図２のＢ−Ｂ断面であり、（ｃ）は図２のＡ−Ａ断面である。
【図６】本考案の実施形態に係るアンカー杭の使用態様を示した斜視図である。
【図７】従来の止め具の使用態様を示した斜視図である。
【考案を実施するための形態】
【０００８】
次に本考案に係わるアンカー杭の一実施形態を図面に基づいて説明する。
図１はそのアンカー杭の一部が断面である正面図であり、図２はその側面図であり、図３は延出部材の拡大正面図であり、図４はその平面図である。
このアンカー杭１０は、上下方向の軸部１１がパイプ状に形成され、その上端には、杭を地中に差し込みする際にハンマーなどで叩き込むための打設部１２があり、この打設部１２の左右側方には、このアンカー杭１０に紐やロープを掛けるための鈎部１３が延出させて設けられている。
また、このアンカー杭１０の先端１４は、地中への差込みが容易なように下方を尖らせたテーパ部１５が形成されている。
なお、紐やロープは、打設部１２に空けられた貫通孔１２ａに通すして固定することもできる。
【０００９】
＜軸部＞
図５（ａ）は図２のＣ−Ｃ断面であり、（ｂ）は図２のＢ−Ｂ断面であり、（ｃ）は図２のＡ−Ａ断面である。
軸部１１は、図５の断面図に示すように、中央部分を空洞１１ａにしたパイプ状に形成している（図５（ｂ））。
パイプ状とした理由は、射出樹脂成形後の冷却時における収縮による形状変形防止のためである。また、樹脂材料の節約のためでもある。
さらに、図５（ｃ）の断面図に示すように、軸部１１の外周の長手方向には、縦筋状にその肉厚の一部を欠いて薄肉とした凹溝１１ｂを形成している。これにより、細くて長い支柱あっても、肉盗みにより樹脂量を節約と冷却時の変形防止を図っている。
なお、図では、円周方向において略９０度の間隔で４本の凹溝１１ｂを設けている。
【００１０】
＜延出部材＞
実施形態のアンカー杭１０の軸部１１の上下方向の中間には、軸部の直径と略同じ幅寸法で、アンカー杭１０の長手方向と略直角で左右２方向に、飛行機の翼のように延出した平板状の延出部材２０を設けている。
延出部材２０は、アンカー杭１０の高さ方向に少なくとも２段で形成しており、上段延出部材２１の延出寸法＞下段延出部材２３の延出寸法、という関係を持たせている。
なお、延出寸法とは、軸部１１の左右両側に延出した延出部材の長手方向の全寸法をいう。
アンカー杭１０の長手方向と略直角で左右２方向に延出させた理由は、全方向（例えば円板状に広がったような形状）にすると、アンカー杭１０の差し込み時において、土の抵抗が大きくなり過ぎるので左右２方向にとどめたのである。
さらに、アンカー杭１０を地中に差し込んだ後において、軸部１１をねじって回転させておくことにより、杭が地中から抜けにくくなる。すなわち、ねじって回転させることにより、差し込み時において崩れていない新規な土の下に潜らせることによって、抜け抵抗が増すからである。
【００１１】
＜延出部材の形状＞
また、延出部材２０の形状は、地中への差し込み時や引き抜き時において変形しない程度の強度を有するように所定の厚みを備えている。
さらに、延出部材２０の下面Ｓは、軸部に近いほど肉厚の構造を備えた曲面形状となっている。このため、差し込み時においては地中への差し込み抵抗が少ない。
一方、上面Ｕは抜け抵抗を有するように平面となっている。
【００１２】
＜３段の延出部材＞
なお、図面では、延出部材２０を３段に構成した場合を示しており、図３の延出部材２０の拡大図に示すように、上段延出部材の延出寸法２１ａ＞中段延出部材の延出寸法２２ａ＞下段延出部材の延出寸法２３ａ、という関係を有している。
延出部材２０を３段に構成して、それぞれの延出寸法をこのような関係とすることにより、アンカー杭１０の差し込み時には地中への差し込み抵抗を少なくし、埋め込まれた後は抜けにくくしている。
なお、延出部材２０の形状は、図４の平面図に示すように、その先端が軸部１１の直径よりも広がった幅寸法となってる。このように広がった幅寸法としたことにより、杭を打ち込んだ後９０度回転させたときに、延出部材２０の上面に載った土の設置面積を増やし、抜き方向に対する抵抗をより増やすという効果がある。
【００１３】
＜鈎部＞
鈎部１３は、図４（ａ）の断面図に示すように、打設部１２の左右側方に延出されてさらに下方に垂下させた鈎状に構成されている。すなわち、杭を地中に打ち込んだ後に、紐やロープを鈎部１３に掛けて、小屋などを固定するために用いる。
【００１４】
次に本考案のアンカー杭１０の使用例について説明する。
図６に、このアンカー杭１０を用いて小屋３０などをロープ３１で固定する場合の使用例を示す。アンカー杭１０を、上端の打設部１２をハンマーなどで叩き込んで地中に差し込んだ後、打設部１２の側方をモンキーやスパナで把持してねじって回転させる。
また、打設部１２に設けた貫通孔１２ａに棒を通し、この棒を回転させることによってねじることもできる。この時、ハンマーなどでアンカー杭１０の上端に打設部１２を叩くようにすることによって、アンカー杭１０を地中に充分差し込むことが容易になる。
なお、アンカー杭１０の左右横方向に延出部材２０が延出しているので差し込み抵抗があるが、一旦地中への差込した後にねじって回転させたアンカー杭１０は容易には抜けない。すなわち、差し込んで回転させると、左右横方向に延出した延出部材２０の上面には、アンカー杭１０を差し込む際に押し分けて砕かれた土ではなく、新規な硬い土が載っている状態になるので抜け抵抗が増すのである。
【００１５】
特に、畑等の地盤の軟弱な箇所では杭の保持が効かず、従来の杭を差し込んでも容易に抜けてしまうが、本考案のアンカー杭１０は延出部材２０が左右横方向に大きく延出しているために、例え軟弱な地盤の箇所であっても、アンカー杭は容易には抜けない。
【００１６】
本実施形態においては、アンカー杭の材質としては、軽量で強度が高く、適度な耐候性と、酸性雨などで錆びないという優れた点を有することから合成樹脂製とすることが望ましく、射出成形法などの手段によって、軸部１１と延出部材２０とを一体成形することができる。
アンカー杭は長期間土中に埋設された状態にあり、かつアンカー杭の上部は、太陽光、風雨に曝されるため、耐光性等環境に対して抵抗できる素材を使用することが望ましい。
このような合成樹脂の種類としては、例えばポリプロピレンのような成形性のよい素材が挙げられる。
なお、キャンプ地等の硬い地面での使用の時は、鉄やアルミなどの金属製とすると、強度が増して好ましい。
また、樹脂によって形成されたアンカー杭の肉厚は、差し込み、抜け、ねじりなどに対しても十分な耐力を有することが望ましい。この値は合成樹脂の種類に応じて決定される。
アンカー杭１０の通常の大きさを挙げれば、例えば、高さ１０〜３０ｃｍで、軸部の直径５〜３０ｍｍ程度の寸法とすることが使用しやすさから好ましい。
【００１７】
なお、アンカー杭１０の軸部１１の寸法や延出部材２０の寸法、延出部材２０の数などについては、本考案の効果を損ねない範囲において適宜選択できるものである。
またさらに、本考案のアンカー杭の軸部１１は、径方向断面形状が実施形態のように円筒パイプ状のものに限られず、例えば、三角状、四角状など多角形状のパイプであっても良い。
【産業上の利用可能性】
【００１８】
以上説明したように本考案に係わるアンカー杭は、温室、ビニールハウス、小屋、テント等の仮設物などの止め具として安価な価格で提供できるので、産業上の利用可能性が高い。
また、本実施形態では、アンカー杭の用途を小屋の止め具として適用する場合について説明したが、建築用や土木用などの他の分野に適用することもできる。
【符号の説明】
【００１９】
１０  アンカー杭
１１  軸部
１１ａ  空洞
１１ｂ  凹溝
１２  打設部
１２ａ  貫通孔
１３  鈎部
１４  軸部の先端
１５  テーパ部
２０  延出部材
２１  上段延出部材
２１ａ  上段延出部材の延出寸法
２２  中段延出部材
２２ａ  中段延出部材の延出寸法
２３  下段延出部材
２３ａ  下段延出部材の延出寸法
３０  仮設物（小屋）
３１  ロープ
３２  止め具
Ｓ  下面
Ｕ  上面
【図１】
0003196205.tif 000003
【図２】
0003196205.tif 000004
【図３】
0003196205.tif 000005
【図４】
0003196205.tif 000006
【図５】
0003196205.tif 000007
【図６】
0003196205.tif 000008
【図７】
0003196205.tif 000009